(57)【要約】【課題】本発明は、カメラのバックフォーカスを容易に調整するためのカメラ装置を提供することを目的とする。【解決手段】ハウジング２の内側に設けられたガイドと同じ様に、ハウジング２の底面の下側にもガイドが設けられており、カメラ３を載せたカメラ台４を上下反転させてガイドに挿入することで、ハウジング２の下側にカメラ３を固定することができる。この状態であれば、作業者は両手を使うことができバックフォーカスを容易かつ安全に調整することができる。【選択図】図２
2012084974.tif 000002
【特許請求の範囲】
【請求項１】
カメラと該カメラを収納するハウジングと備えるカメラ装置であって、
前記ハウジングの底面の内側および外側に、前記カメラを挿入し固定するガイドを有することを特徴とするカメラ装置。
【発明の詳細な説明】
【技術分野】
【０００１】
本発明は、ハウジングに収納されるカメラのバックフォーカス調整のためのカメラ装置の機構に関する。
【背景技術】
【０００２】
画像監視システムは、ホテルやビル、コンビニエンスストア金融機関、ダムまたは道路等といった様々な公共施設等において、犯罪抑止や事故防止等の目的で設置されている。特に屋外等にカメラが設置される場合、カメラをパン・チルト動作させる雲台とカメラを収納するハウジングとカメラから構成される雲台一体型のカメラ装置が運用されている。
【０００３】
例えば、特許文献１には、雲台、ハウジング、カメラから構成される雲台一体型のカメラ装置が記載されている。
【０００４】
また、例えば、特許文献２には、カメラがハウジングに収納される様子が記載されている。
【先行技術文献】
【特許文献】
【０００５】
【特許文献１】特開２００８−３１２１１１号公報
【特許文献２】特開２００８−０２８５９７号公報
【発明の概要】
【発明が解決しようとする課題】
【０００６】
この様な雲台一体型のカメラの場合、長期間使用した際の振動等によりバックフォーカス位置がずれ、据え付け時やメンテナンス時に、再調整が必要になることがある。また、それ以上に、レンズ等を交換する場合に、調整が必要となる。その際には、従来は、カメラハウジングの背面を空けてカメラを取り出し、手で抱えたり台に置いたりしてバックフォーカス調整用リングを回して調整していた。ここで、大型の高倍率ズームレンズを使用した場合等には重量が重く、作業が大変である。また、カメラ装置の設置場所がポールや鉄塔の上等であった場合、作業に危険が伴うため、容易に作業できることが望まれている。
【０００７】
この様な課題を鑑み、本発明は、カメラのバックフォーカスを容易に調整するためのカメラ装置を提供することを目的とする。
【課題を解決するための手段】
【０００８】
本発明のカメラ装置は、カメラと該カメラを収納するハウジングと備え、前記ハウジングの底面の内側および外側に、前記カメラを挿入し固定するガイドを有することを特徴とする
【発明の効果】
【０００９】
本発明によると、カメラのバックフォーカスを作業者が容易に調整することができる。
【図面の簡単な説明】
【００１０】
【図１】本発明の一実施例のカメラ装置の斜視図である。
【図２】本発明の一実施例のカメラ装置の別角度からの斜視図である。
【図３】本発明の一実施例のカメラ装置のハウジングの背面から見た図である。
【発明を実施するための形態】
【００１１】
以下、図面を参照して本発明の実施形態について詳細に説明する。
【００１２】
図１は、本発明の一実施例のカメラ装置の斜視図である。図１において、１はパン・チルト動作により撮像する画角を変更させる雲台、２はカメラを収納するハウジング、３は前方の画像を撮像するカメラ、４はカメラ３を乗せて固定するためのカメラ台である。
【００１３】
ハウジング２は雲台１に上下方向に回動可能な状態で取り付けられる。カメラ３はカメラ台４に載せ、ネジ等でしっかりと固定される。ハウジング２は、背面が取り外し可能となっており、ここからカメラ３を載せたカメラ台４をハウジング２の内側に設けられたガイドに沿って挿入する。このとき、雲台１からハウジング２内部を通って出ているケーブルをカメラ３に接続することで通電する。そして、背面を閉じることでカメラ３がハウジング２に収納される。なお、ハウジング２は、前面の一部がガラス張りになっており、カメラ３はこのガラスを通して前方を撮像する。
【００１４】
図２は、本発明の一実施例のカメラ装置の別角度からの斜視図であり、カメラ３をハウジング２の底面の下側に固定した様子を示す図である。
【００１５】
ハウジング２の内側に設けられたガイドと同じ様に、ハウジング２の底面の下側にもガイドが設けられており、カメラ３を載せたカメラ台４を上下反転させてガイドに挿入することで、ハウジング２の下側にカメラ３を固定することができる。この状態であれば、作業者は両手を使うことができバックフォーカスを容易かつ安全に調整することができる。
【００１６】
バックフォーカスの調整が終了したら、カメラ３を載せたカメラ台４を後方に引き抜き、上下反転させてハウジング２内へガイドに沿って挿入し、ハウジング２の背面を閉じることで作業を完了できる。なお、このとき、カメラ３をハウジング２から遠くに離さずに固定できることで、カメラ３からケーブルが抜けることもなく、通電状態を保ちながら作業することができる。
【００１７】
図３は、本発明の一実施例のカメラ装置のハウジングの背面から見た図である。５Ｌはハウジング２内部の底面に設けられた左側のガイド、５Ｒはハウジング２内部の底面に設けられた右側のガイド、６Ｌはハウジング２の底面の外側に設けられたガイド５Ｌと底面に対して線対象のガイド、６Ｒはハウジング２の底面の外側に設けられたガイド５Ｌと底面に対して線対象のガイドである。
【００１８】
ガイド５Ｌおよびガイド５Ｒは、ハウジング２の底面の内側の左右に設けられ、ガイド６Ｌおよびガイド６Ｒはハウジング２の底面の外側の左右に設けられる。ガイド５Ｌおよびガイド５Ｒは、それぞれ、かぎ状であり、一辺は底面に対して内側方向に垂直に、もう一辺は垂直辺の端部から中心方向に向かって水平に設けられる。一方、ガイド６Ｌおよびガイド６Ｒもまた、それぞれ、かぎ状であり、一辺は底面に対して外側方向に垂直に、もう一辺は垂直辺の端部から中心方向に向かって水平に設けられる。また、このガイド５Ｌ、５Ｒ、６Ｌ、６Ｒはハウジング２の後方端部から前方端部にかけて設けられる。
【００１９】
カメラ台４の幅は、ガイド５Ｌと５Ｒの垂直辺間の幅およびガイド６Ｌと６Ｒの垂直辺間の幅より狭く、ガイド５Ｌと５Ｒの水平辺の端部間およびガイド６Ｌと６Ｒの水平辺の端部間より広くなる様につくられる。こうすることで、カメラ台４はガイド５Ｌと５Ｒの間またはガイド６Ｌと６Ｒの間に挿入しても上下方向に動かない様にほぼ固定することができる。
【００２０】
以上に説明した様に、本発明によれば、カメラのバックフォーカスを作業者が容易に調整することができる。
【００２１】
また、本発明によれば、バックフォーカスの調整以外にも、レンズの交換やその他メンテナンス等を実施するにも便利である。また、上記実施例ではカメラ台にカメラを取り付ける構成を説明したが、カメラ自体が台の役割を果たし、ガイドに沿って挿入する様にしても良い。
【００２２】
要するに本発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、各実施形態に示される全構成要素から幾つかの構成要素を削除してもよい。さらに、異なる実施形態に亘る構成要素を適宜組み合せてもよい。
【符号の説明】
【００２３】
１：雲台、２：ハウジング、３：カメラ、４：カメラ台、５Ｒ，５Ｌ：上ガイド、６Ｒ，６Ｌ：下ガイド。
【図１】
2012084974.tif 000003
【図２】
2012084974.tif 000004
【図３】
2012084974.tif 000005